(57)【要約】【課題】例えば、乗りかごを最下階の乗り場の着床位置よりも下げることなくドアマシンの点検を行うことが可能な新規な構成のドアマシンの点検方法および作業台を得る。【解決手段】実施形態のドアマシンの点検方法は、例えば、昇降路の両側に乗り場が設けられた二方向エレベータであって、両側のうち一側の第一の乗り場は最下階のみに設けられ、両側のうち他側の第二の乗り場は最下階とは異なる階に設けられた二方向エレベータにおける、乗りかごのドアマシンの点検方法であって、第一の工程と、第二の工程と、第三の工程と、を含む。第一の工程は、作業者が、第二の乗り場から乗りかごの天井に乗り移る。第二の工程は、作業者が、天井から昇降路内の一側の側面に設けられた作業台に乗り移る。第三の工程は、作業者が、作業台から乗りかごの一側のドアマシンを点検する。【選択図】図３
2018002420.tif 000002
【特許請求の範囲】
【請求項１】
昇降路の両側に乗り場が設けられた二方向エレベータであって、前記両側のうち一側の第一の乗り場は最下階のみに設けられ、前記両側のうち他側の第二の乗り場は前記最下階とは異なる階に設けられた二方向エレベータにおける、乗りかごのドアマシンの点検方法であって、
作業者が、前記第二の乗り場から前記乗りかごの天井に乗り移る第一の工程と、
作業者が、前記天井から前記昇降路内の前記一側の側面に設けられた作業台に乗り移る第二の工程と、
作業者が、前記作業台から前記乗りかごの前記一側のドアマシンを点検する第三の工程と、
を含む、ドアマシンの点検方法。
【請求項２】
前記第一の工程と前記第二の工程との間に、作業者が、前記乗りかごの天井に乗って移動する第四の工程を含む、請求項１に記載のドアマシンの点検方法。
【請求項３】
前記作業台には、安全帯を引っ掛けることの可能な引掛部が設けられている、請求項１または２に記載のドアマシンの点検方法。
【請求項４】
昇降路の両側に乗り場が設けられた二方向エレベータであって、前記両側のうち一側の第一の乗り場は最下階のみに設けられ、前記両側のうち他側の第二の乗り場は前記最下階とは異なる階に設けられた二方向エレベータの、前記昇降路の側面に設けられた作業台であって、
前記昇降路内の前記一側の前記側面であって、前記第一の乗り場の上方に位置された、作業台。
【発明の詳細な説明】
【技術分野】
【０００１】
本発明の実施形態は、ドアマシンの点検方法および作業台に関する。
【背景技術】
【０００２】
従来、乗りかごに二つのドアが設けられた二方向エレベータが、知られている。
【０００３】
二方向エレベータでは、例えば、二つのドアのうち一方のドアが最下階のみで開閉される構成となる場合がある。この場合、当該一方のドアを開閉するドアマシンを点検する際には、乗りかごを最下階の乗り場の着床位置よりも下げて当該ドアマシンを最下階の乗り場に露出させることにより、点検が行われていた。
【先行技術文献】
【特許文献】
【０００４】
【特許文献１】特開平１１−１９９１６２号公報
【発明の概要】
【発明が解決しようとする課題】
【０００５】
しかしながら、昇降路を最下階の乗り場よりも深くするのが困難な場合もある。すなわち、乗りかごを最下階の乗り場の着床位置よりも下げることなくドアマシンの点検を行うことが可能な新規な構成が得られれば、好ましい。
【課題を解決するための手段】
【０００６】
実施形態のドアマシンの点検方法は、例えば、昇降路の両側に乗り場が設けられた二方向エレベータであって、両側のうち一側の第一の乗り場は最下階のみに設けられ、両側のうち他側の第二の乗り場は最下階とは異なる階に設けられた二方向エレベータにおける、乗りかごのドアマシンの点検方法であって、第一の工程と、第二の工程と、第三の工程と、を含む。第一の工程は、作業者が、第二の乗り場から乗りかごの天井に乗り移る。第二の工程は、作業者が、天井から昇降路内の一側の側面に設けられた作業台に乗り移る。第三の工程は、作業者が、作業台から乗りかごの一側のドアマシンを点検する。
【図面の簡単な説明】
【０００７】
【図１】図１は、第１実施形態の二方向エレベータの例示的かつ模式的な構成図である。
【図２】図２は、第１実施形態の二方向エレベータの作業台近傍の例示的かつ模式的な側面図（一部断面図）である。
【図３】図３は、第１実施形態の二方向エレベータのドアマシンの点検方法の例示的なフローチャートである。
【図４】図４は、第１実施形態の二方向エレベータのドアマシンの点検方法の第一の工程を説明する例示的かつ模式的な側面図（一部断面図）である。
【図５】図５は、第１実施形態の二方向エレベータのドアマシンの点検方法の第四の工程を説明する例示的かつ模式的な側面図（一部断面図）である。
【図６】図６は、第１実施形態の二方向エレベータのドアマシンの点検方法の第二の工程を説明する例示的かつ模式的な側面図（一部断面図）である。
【図７】図７は、第１実施形態の二方向エレベータのドアマシンの点検方法の第三の工程を説明する例示的かつ模式的な側面図（一部断面図）である。
【図８】図８は、第２実施形態の二方向エレベータの作業台近傍の例示的かつ模式的な側面図（一部断面図）である。
【図９】図９は、第３実施形態の二方向エレベータの作業台の例示的かつ模式的な斜視図である。
【図１０】図１０は、第４実施形態の二方向エレベータの作業台の例示的かつ模式的な斜視図である。
【図１１】図１１は、第４実施形態の二方向エレベータの作業台の例示的かつ模式的な斜視図であって、柵の開閉を説明する図である。
【図１２】図１２は、第５実施形態の二方向エレベータの作業台の例示的かつ模式的な斜視図である。
【図１３】図１３は、第６実施形態の二方向エレベータの作業台近傍の例示的かつ模式的な側面図（一部断面図）である。
【発明を実施するための形態】
【０００８】
以下、本発明の例示的な実施形態が開示される。以下に示される実施形態の構成、ならびに当該構成によってもたらされる作用および結果（効果）は、一例である。
【０００９】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向が定義されている。Ｘ方向、Ｙ方向（図９参照）、およびＺ方向は、互いに直交している。Ｘ方向およびＹ方向は、水平方向に沿い、Ｚ方向は、上下方向（鉛直方向）に沿う。Ｘ方向は、昇降路２の一側の一例であり、Ｘ方向の反対方向は、昇降路２の他側の一例である。
【００１０】
＜第１実施形態＞
図１に示されるように、二方向エレベータ１は、例えば、昇降路２と、機械室３と、複数の乗り場４〜６と、作業台７と、乗りかご１０と、を備えている。昇降路２は、Ｚ方向に沿って延びており、複数の乗り場４〜６に渡って設けられている。本実施形態では、複数の乗り場４〜６のうち最下階の乗り場４は、昇降路２のＸ方向に位置され、最上階の乗り場６および中間階の乗り場５は、昇降路２のＸ方向の反対方向に位置されている。乗り場４は、第一の乗り場の一例であり、乗り場６は、第二の乗り場の一例である。
【００１１】
二方向エレベータ１では、乗りかご１０のＸ方向およびその反対方向の端部のそれぞれに、乗降口１１が設けられている。そして、各乗り場４〜６において、当該乗り場４〜６側の乗降口１１からの利用者の乗降が可能となっている。なお、本実施形態では、二方向エレベータ１に三つの乗り場４〜６が設けられる場合が例示されるが、乗り場４〜６の数は、これには限定されず、例えば、二つであってもよいし、四つ以上であってもよい。また、本実施形態では、乗り場４と乗り場５，６とが互いに反対方向に設けられる場合が例示されるが、これには限定されず、例えば、乗り場４がＸ方向に設けられ、乗り場５，６がＹ方向（図９参照）、すなわち図１の紙面と垂直な方向に設けられる等、Ｚ方向から見て乗り場４と乗り場５，６とが互いに交差する方向に設けられてもよい。
【００１２】
図１に示されるように、機械室３は、昇降路２の上方（Ｚ方向）に位置されている。機械室３には、巻上機３２や、モータ３３、制御盤３４等が設けられている。二方向エレベータ１は、例えば、乗りかご１０と、つり合いおもりとしての不図示のカウンターウェイトとをメインロープ３１で連結した、いわゆるつるべ式のエレベータとして構成されている。制御盤３４により各部の駆動が制御されて乗りかご１０が昇降路２内を昇降することにより、利用者が任意の目的階の乗り場４〜６に移動可能となっている。
【００１３】
また、乗りかご１０には、複数の乗降口１１と、各乗降口１１を開閉可能に覆う複数のかごドア１２とが、設けられている。本実施形態では、乗りかご１０には、乗り場４と面する一つの乗降口１１およびかごドア１２と、乗り場５，６と面する別の乗降口１１およびかごドア１２とが、設けられている。
【００１４】
また、乗りかご１０には、ドアマシン１３が設けられている。ドアマシン１３は、かごドア１２および乗り場ドア４ａ〜６ａを開閉させる装置であり、例えば、ハンガーや、ハンガーローラ、ハンガーレール等を有する。ドアマシン１３は、かごドア１２のそれぞれの上方（Ｚ方向）に位置されている。乗りかご１０は、利用者が乗ったり荷物を乗せたりするための構造物である。乗りかご１０は、昇降路２内に設けられた不図示の一対のかご用ガイドレールの間に設置され、かご用ガイドレールに沿って昇降することで、昇降路２内を移動可能に構成されている。
【００１５】
乗り場４〜６は、乗りかご１０へのアクセスポイント、すなわち、利用者が乗りかご１０に対して乗降したり、荷物を乗りかご１０に対して積み下ろしたりするための場所である。各乗り場４〜６には、当該乗り場４〜６側と昇降路２側との間を開閉可能に仕切る乗り場ドア４ａ〜６ａが設けられている。乗り場ドア４ａ〜６ａは、乗りかご１０が各乗り場４〜６に着床した際にかごドア１２と面する位置に設けられている。乗り場ドア４ａ〜６ａは、通常モード時は閉位置に位置されており、不図示のロック機構により、開位置への移動が制限されている。これにより、乗り場ドア４ａ〜６ａは、通常モード時は、乗り場４〜６と昇降路２との間を遮っている。乗り場ドア４ａ〜６ａは、例えば、乗りかご１０が各乗り場４〜６に着床し、かごドア１２が閉位置から開位置へと移動するのに連動して、ロック機構によるロックが解除されるとともに、閉位置から開位置へと移動する。
【００１６】
乗りかご１０に設けられる二つのドアマシン１３のうち、乗り場５，６と面するかごドア１２（かごドア１２Ｌとする）および乗り場ドア５ａ，６ａを開閉するドアマシン１３（ドアマシン１３Ｌとする）は、乗りかご１０を乗り場５または乗り場６よりも少し下方の位置に停止させることで、乗り場５または乗り場６から点検されうる。他方、図１に示されるように、昇降路２の最下端のピットが浅く、乗りかご１０を乗り場４よりも十分下方に下げられない構成にあっては、乗り場４と面するかごドア１２（かごドア１２Ｒとする）および乗り場ドア４ａを開閉するドアマシン１３（ドアマシン１３Ｒとする）は、乗り場４から点検できない。
【００１７】
そこで、本実施形態では、図１，２に示されるように、昇降路２内の、乗り場４側の側面２ａに、換言すれば、乗り場４とは異なる乗り場５，６の、反対側の側面２ａに、作業台７が設けられている。作業台７は、昇降路２の両側のうち乗り場４側であって、乗り場４よりも上方に位置されている。また、本実施形態では、作業台７は、最上階の乗り場６の昇降路２を挟んだ反対側に位置されている。
【００１８】
また、本実施形態では、作業台７が設けられる位置において、昇降路２の側面２ａには、ドアマシン１３Ｒを点検するための段差２ｂが設けられている。作業台７は、この段差２ｂの面２ｂ１（側面、上面）上に設置されている。このような構成によれば、作業者Ｗ（図７参照）は、作業台７からドアマシン１３Ｒの点検を行うことができる。したがって、作業者Ｗは、乗りかご１０を乗り場４の着床位置よりも下げることなくドアマシン１３Ｒの点検を行うことができる。すなわち、昇降路２を乗り場４よりも深くすることが難しい構造であるような場合に、作業者Ｗは、最下階の乗り場４に対応するかごドア１２Ｒおよび乗り場ドア４ａを開閉するドアマシン１３Ｒを、より容易に点検することができる。
【００１９】
次に、作業者Ｗによる、作業台７を利用したドアマシン１３Ｒの点検方法について説明する。
【００２０】
図４に示されるように、まず、二方向エレベータ１を通常モードから点検モードにし（図３のＳ１）、乗り場ドア６ａのロック機構によるロックを解除して、作業者Ｗが、乗り場ドア６ａを閉位置から開位置へと移動させる。そして、作業者Ｗは、例えば、リモコン等の操作によって、乗り場６から乗りかご１０の天井１０ａに乗り移れる位置まで乗りかご１０を移動させる。
【００２１】
次に、作業者Ｗは、乗り場６から乗りかご１０の天井１０ａに乗り移る（図３のＳ２）。Ｓ２は、第一の工程の一例である。
【００２２】
次に、図５に示されるように、作業者Ｗは、乗りかご１０の天井１０ａから作業台７に乗り移れる位置まで乗りかご１０を移動（上昇）させる（図３のＳ３）。Ｓ３は、第四の工程の一例である。
【００２３】
次に、図６に示されるように、作業者Ｗは、乗りかご１０の天井１０ａから作業台７に乗り移る（図３のＳ４）。Ｓ４は、第二の工程の一例である。
【００２４】
次に、図７に示されるように、作業者Ｗは、作業台７からドアマシン１３Ｒの点検が行い易い位置まで乗りかご１０を移動（上昇）させる（Ｓ５）。
【００２５】
そして、作業者Ｗは、作業台７からドアマシン１３Ｒの点検を行う（図３のＳ６）。Ｓ６は、第三の工程の一例である。
【００２６】
ドアマシン１３Ｒの点検が終了すると（図３のＳ７）、作業者Ｗは、作業台７から乗りかご１０の天井１０ａに乗り移れる位置まで乗りかご１０を移動（下降）させる（図３のＳ８）。
【００２７】
次に、作業者Ｗは、作業台７から乗りかご１０の天井１０ａに乗り移る（図３のＳ９）。
【００２８】
次に、作業者Ｗは、乗りかご１０の天井１０ａから乗り場６に乗り移れる位置まで乗りかご１０を移動（下降）させる（図３のＳ１０）。
【００２９】
次に、作業者Ｗは、乗りかご１０の天井１０ａから乗り場６に乗り移る（図３のＳ１１）。
【００３０】
次に、作業者Ｗは、乗り場ドア６ａを開位置から閉位置へと移動させる。そして、二方向エレベータ１を点検モードから通常モードにし（図３のＳ１２）、乗り場ドア６ａを不図示のロック機構により閉位置でロックする。
【００３１】
以上のように、本実施形態では、例えば、ドアマシン１３Ｒの点検方法は、作業者Ｗが、乗り場６（第二の乗り場）から乗りかご１０の天井１０ａに乗り移る第一の工程（Ｓ２）と、作業者Ｗが、天井１０ａから昇降路２内のＸ方向（一側）の側面２ａに設けられた作業台７に乗り移る第二の工程（Ｓ４）と、作業者Ｗが、作業台７からＸ方向のドアマシン１３Ｒを点検する第三の工程（Ｓ６）と、を含む。よって、本実施形態によれば、作業者Ｗは、作業台７からドアマシン１３Ｒの点検を行うことができる。したがって、作業者Ｗは、乗りかご１０を乗り場４（第一の乗り場）の着床位置よりも下げることなくドアマシン１３Ｒの点検を行うことができる。すなわち、昇降路２を乗り場４よりも深くすることが難しい構造であるような場合に、作業者Ｗは、最下階の乗り場４に対応するかごドア１２Ｒおよび乗り場ドア４ａを開閉するドアマシン１３Ｒを、より容易に点検することができる。また、例えば、乗り場４の乗り場ドア４ａよりも上方（Ｚ方向）の側壁に点検口を設け、当該点検口から作業者Ｗが昇降路２内に身を乗り出してドアマシン１３Ｒの点検を行うような場合と比べて、作業者Ｗによる点検作業が、より容易に、より迅速に、あるいはより安全に行われやすい。
【００３２】
また、本実施形態では、例えば、第一の工程（Ｓ２）と第二の工程（Ｓ４）との間に、作業者Ｗが、乗りかご１０の天井１０ａに乗って移動する第四の工程（Ｓ３）を含む。よって、本実施形態によれば、例えば、作業台７が天井１０ａから乗り移り難い場所に設けられている二方向エレベータ１、すなわち乗り場６の床面（天井１０ａ）と作業台７との間の段差が大きい二方向エレベータ１に対応することができる。
【００３３】
また、本実施形態では、例えば、作業台７は、昇降路２の両側に乗り場４〜６が設けられた二方向エレベータ１であって、Ｘ方向（一側）の乗り場４（第一の乗り場）は最下階のみに設けられ、Ｘ方向の反対方向（他側）の乗り場６（第二の乗り場）は最下階とは異なる階に設けられた二方向エレベータ１の、昇降路２の側面２ａに設けられた作業台７であって、昇降路２内のＸ方向の側面２ａであって、乗り場４の上方に位置されている。よって、本実施形態によれば、例えば、作業台７によって、昇降路２を乗り場４よりも深くすることが難しい構造であるような場合に、作業者Ｗは、最下階の乗り場４に対応するかごドア１２Ｒおよび乗り場ドア４ａを開閉するドアマシン１３Ｒを、より容易に点検することができる。また、本実施形態では、作業台７が、昇降路２内の最上階の乗り場６とは反対側の側面２ａに設けられているため、作業台７の設置スペースが確保されやすい場合がある。
【００３４】
＜第２実施形態＞
図８に示される実施形態の二方向エレベータ１Ａは、上記第１実施形態の二方向エレベータ１と同様の構成を備えている。よって、本実施形態によっても、上記第１実施形態と同様の構成に基づく同様の結果（効果）が得られる。
【００３５】
ただし、本実施形態では、例えば、図８に示されるように、段差２ｂの面２ｂ１が乗り場６の床面と略同一平面に沿って並んでいる点が、上記実施形態と相違している。よって、本実施形態によれば、例えば、乗り場６の床面（天井１０ａ）と作業台７との間の段差が小さくなりやすく、ひいては第四の工程（図３のＳ３）を廃止することができる。よって、例えば、ドアマシン１３Ｒの点検作業が、より容易に、あるいはより迅速に行われやすい。
【００３６】
＜第３実施形態＞
図９に示される実施形態の二方向エレベータ１Ｂは、上記第１実施形態の二方向エレベータ１と同様の構成を備えている。よって、本実施形態によっても、上記第１実施形態と同様の構成に基づく同様の結果（効果）が得られる。
【００３７】
ただし、本実施形態では、例えば、図９に示されるように、作業台７が昇降路２内の部材８の上に設置されている点が、上記第１実施形態と相違している。部材８は、例えば、Ｈ字状の断面を有したＨ型鋼であり、例えば、建物の梁等である。部材８は、その長手方向がＹ方向に沿う姿勢で設置されている。また、部材８は、Ｙ方向に互いに離間し、それぞれがＸ方向に沿って延びた不図示の二つの梁部の間に渡って当該梁部に支持されている。このように、本実施形態によれば、昇降路２が鉄骨構造の場合に、作業台７の設置が可能となる。作業台７と部材８とは、例えば、溶接等によって互いに一体化されうる。
【００３８】
また、図９に示されるように、作業台７は、全体としては、Ｚ方向に向けて開放された直方体状の箱型に構成されている。また、作業台７の周壁部には、作業者Ｗの出入口７ｒを構成する複数の開口部が設けられている。作業者Ｗは、少なくとも一つの開口部（出入口７ｒ）から作業台７の中に入ることができる。
【００３９】
＜第４実施形態＞
図１０，１１に示される実施形態の二方向エレベータ１Ｃは、上記第１実施形態の二方向エレベータ１と同様の構成を備えている。よって、本実施形態によっても、上記第１実施形態と同様の構成に基づく同様の結果（効果）が得られる。
【００４０】
ただし、本実施形態では、例えば、図１０に示されるように、作業台７がアンカーボルト１６によって昇降路２の段差２ｂの面２ｂ１に固定されている点が、上記第１実施形態と相違している。このように、本実施形態によれば、昇降路２がコンクリート構造の場合に、作業台７の設置が可能となる。また、作業台７には、作業者Ｗの出入口７ｒを開閉可能に覆う柵７ｇが設けられている。図１１に示されるように、柵７ｇは、それぞれがＹ方向に沿って延び、互いに分離可能な二つの部品７ｇ１，７ｇ２を有する。二つの部品７ｇ１，７ｇ２は、作業台７のＹ方向およびＹ方向の反対方向の端部に、Ｘ方向に沿って延びるボルト７ｉを介して、回転可能に支持されている。作業者Ｗは、天井１０ａから作業台７に乗り移る場合、あるいは作業台７から天井１０ａに乗り移る場合に、部品７ｇ１，７ｇ２をＸ方向に沿って延びるボルト７ｉの軸回りに回転させることにより、作業台７への乗降が可能となる。このように、本実施形態によれば、作業台７に柵７ｇが設けられているため、例えば、作業者Ｗの出入口７ｒでの乗降が、より容易に、あるいはより安全に行われやすい。
【００４１】
＜第５実施形態＞
図１２，１３に示される実施形態の二方向エレベータ１Ｄは、上記第１実施形態の二方向エレベータ１と同様の構成を備えている。よって、本実施形態によっても、上記第１実施形態と同様の構成に基づく同様の結果（効果）が得られる。
【００４２】
ただし、本実施形態では、例えば、図１２に示されるように、作業台７に安全帯を引っ掛けることの可能な引掛部７ｔが設けられている点が、上記第１実施形態と相違している。作業台７のＹ方向の端部には、ＹＺ平面に沿って広がった板状のプレート１７が固定されている。図１３に示されるように、プレート１７には、Ｘ方向に沿って貫通した開口部１７ａが設けられている。本実施形態では、開口部１７ａの周縁部が、引掛部７ｔである。作業者Ｗは、例えば、引掛部７ｔに不図示の安全帯のフック部を引っ掛けた状態で、ドアマシン１３Ｒの点検を行うことができる。このように、本実施形態によれば、作業台７に引掛部７ｔが設けられているため、例えば、作業者Ｗによるドアマシン１３Ｒの点検作業が、より安全に行われやすい。
【００４３】
＜第６実施形態＞
図１４に示される実施形態の二方向エレベータ１Ｅは、上記第１実施形態の二方向エレベータ１と同様の構成を備えている。よって、本実施形態によっても、上記第１実施形態と同様の構成に基づく同様の結果（効果）が得られる。
【００４４】
ただし、本実施形態では、例えば、図１４に示されるように、昇降路２のＸ方向の側面２ａに照明装置９が設けられている点が、上記第１実施形態と相違している。照明装置９は、作業者Ｗが、作業台７からドアマシン１３Ｒの点検を行う状態、すなわち第三の工程（Ｓ６）の状態で、ドアマシン１３Ｒを照らすことができる位置に設けられている。よって、本実施形態によれば、例えば、照明装置９によって、作業者Ｗによるドアマシン１３Ｒの点検作業が、より容易に、より円滑に、あるいはより安定して行われやすい。なお、本実施形態では、昇降路２の側面２ａに照明装置９が設けられた場合が例示されたが、これには限定されず、例えば、作業台７に照明装置９が設けられてもよい。
【００４５】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００４６】
１，１Ａ〜１Ｅ…二方向エレベータ、２…昇降路、２ａ…側面、４…乗り場（第一の乗り場）、６…乗り場（第二の乗り場）、７…作業台、７ｔ…引掛部、１０…乗りかご、１０ａ…天井、１３…ドアマシン、Ｓ２…第一の工程、Ｓ３…第四の工程、Ｓ４…第二の工程、Ｓ６…第三の工程、Ｗ…作業者、Ｘ…一側。
【図１】
2018002420.tif 000003
【図２】
2018002420.tif 000004
【図３】
2018002420.tif 000005
【図４】
2018002420.tif 000006
【図５】
2018002420.tif 000007
【図６】
2018002420.tif 000008
【図７】
2018002420.tif 000009
【図８】
2018002420.tif 000010
【図９】
2018002420.tif 000011
【図１０】
2018002420.tif 000012
【図１１】
2018002420.tif 000013
【図１２】
2018002420.tif 000014
【図１３】
2018002420.tif 000015
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
昇降路の両側に乗り場が設けられた二方向エレベータであって、前記両側のうち一側の第一の乗り場は最下階のみに設けられ、前記両側のうち他側の第二の乗り場は前記最下階とは異なる階に設けられた二方向エレベータにおける、乗りかごのドアマシンの点検方法であって、
作業者が、前記第二の乗り場から前記乗りかごの天井に乗り移る第一の工程と、
作業者が、前記天井から、柵を有し前記昇降路の前記一側に設けられ上方を向いた面上に設置された作業台に乗り移る第二の工程と、
作業者が、前記作業台から前記乗りかごの前記一側のドアマシンを点検する第三の工程と、
を含む、ドアマシンの点検方法。
【請求項２】
前記第一の工程と前記第二の工程との間に、作業者が、前記乗りかごの天井に乗って移動する第四の工程を含む、請求項１に記載のドアマシンの点検方法。
【請求項３】
前記作業台には、安全帯を引っ掛けることの可能な引掛部が設けられている、請求項１または２に記載のドアマシンの点検方法。
【請求項４】
前記柵は、開閉可能な出入口を構成する可動部材を含む、請求項１〜３のうちいずれか一つに記載のドアマシンの点検方法。
【請求項５】
昇降路の両側に乗り場が設けられた二方向エレベータであって、前記両側のうち一側の第一の乗り場は最下階のみに設けられ、前記両側のうち他側の第二の乗り場は前記最下階とは異なる階に設けられた二方向エレベータの、前記第一の乗り場の上方に位置された作業台であって、
柵を有し、前記昇降路の前記一側に設けられ上方を向いた面上に設置された、作業台。
【手続補正２】
【補正対象書類名】明細書
【補正対象項目名】０００６
【補正方法】変更
【補正の内容】
【０００６】
実施形態のドアマシンの点検方法は、例えば、昇降路の両側に乗り場が設けられた二方向エレベータであって、両側のうち一側の第一の乗り場は最下階のみに設けられ、両側のうち他側の第二の乗り場は最下階とは異なる階に設けられた二方向エレベータにおける、乗りかごのドアマシンの点検方法であって、第一の工程と、第二の工程と、第三の工程と、を含む。第一の工程は、作業者が、第二の乗り場から乗りかごの天井に乗り移る。第二の工程は、作業者が、天井から、柵を有し昇降路の一側に設けられ上方を向いた面上に設置された作業台に乗り移る。第三の工程は、作業者が、作業台から乗りかごの一側のドアマシンを点検する。
【手続補正３】
【補正対象書類名】明細書
【補正対象項目名】００４１
【補正方法】変更
【補正の内容】
【００４１】
＜第５実施形態＞
図１２に示される実施形態の二方向エレベータ１Ｄは、上記第１実施形態の二方向エレベータ１と同様の構成を備えている。よって、本実施形態によっても、上記第１実施形態と同様の構成に基づく同様の結果（効果）が得られる。
【手続補正４】
【補正対象書類名】明細書
【補正対象項目名】００４２
【補正方法】変更
【補正の内容】
【００４２】
ただし、本実施形態では、例えば、図１２に示されるように、作業台７に安全帯を引っ掛けることの可能な引掛部７ｔが設けられている点が、上記第１実施形態と相違している。作業台７のＹ方向の端部には、ＹＺ平面に沿って広がった板状のプレート１７が固定されている。図１２に示されるように、プレート１７には、Ｘ方向に沿って貫通した開口部１７ａが設けられている。本実施形態では、開口部１７ａの周縁部が、引掛部７ｔである。作業者Ｗは、例えば、引掛部７ｔに不図示の安全帯のフック部を引っ掛けた状態で、ドアマシン１３Ｒの点検を行うことができる。このように、本実施形態によれば、作業台７に引掛部７ｔが設けられているため、例えば、作業者Ｗによるドアマシン１３Ｒの点検作業が、より安全に行われやすい。
【手続補正５】
【補正対象書類名】明細書
【補正対象項目名】００４３
【補正方法】変更
【補正の内容】
【００４３】
＜第６実施形態＞
図１３に示される実施形態の二方向エレベータ１Ｅは、上記第１実施形態の二方向エレベータ１と同様の構成を備えている。よって、本実施形態によっても、上記第１実施形態と同様の構成に基づく同様の結果（効果）が得られる。
【手続補正６】
【補正対象書類名】明細書
【補正対象項目名】００４４
【補正方法】変更
【補正の内容】
【００４４】
ただし、本実施形態では、例えば、図１３に示されるように、昇降路２のＸ方向の側面２ａに照明装置９が設けられている点が、上記第１実施形態と相違している。照明装置９は、作業者Ｗが、作業台７からドアマシン１３Ｒの点検を行う状態、すなわち第三の工程（Ｓ６）の状態で、ドアマシン１３Ｒを照らすことができる位置に設けられている。よって、本実施形態によれば、例えば、照明装置９によって、作業者Ｗによるドアマシン１３Ｒの点検作業が、より容易に、より円滑に、あるいはより安定して行われやすい。なお、本実施形態では、昇降路２の側面２ａに照明装置９が設けられた場合が例示されたが、これには限定されず、例えば、作業台７に照明装置９が設けられてもよい。